(57)【要約】  バージョン情報要求機能を付与されたコンピュータ（２）は、サーバ（３）の結婚式情報のバージョン情報をコンピュータ（２）に送信するようサーバ（３）に要求する。コンピュータ（２）は、サーバ（３）の結婚式情報のバージョン情報と、ＤＶＤ（１）の結婚式情報のバージョン情報とを照合する。バージョンが異なる場合、コンピュータ（２）は、ＤＶＤ（１）の結婚式情報とサーバ（３）の結婚式情報の差分情報をサーバ（３）に要求する。ＤＶＤ（１）の衣装情報が「衣装画像Ａ、衣装画像Ｂ」であるのに対し、サーバ（３）の衣装情報が「衣装画像Ａ、衣装画像Ｂ、衣装画像Ｃ、衣装画像Ｄ」であるから、差分情報は「衣装画像Ｃ、衣装画像Ｄ」となる。コンピュータ（２）は、「衣装画像Ａ、衣装画像Ｂ」に差分情報「衣装画像Ｃ、衣装画像Ｄ」を追加する。
2014038589.tif 000002
【特許請求の範囲】
【請求項１】
所定のバージョンの第１のコンテンツ情報を記録し、
サーバと通信可能な電子計算機に、
通信回線を介して、該サーバに記録されると共に前記第１のコンテンツ情報に対応する第２のコンテンツ情報のバージョン情報を前記電子計算機に送信するよう前記サーバに要求するバージョン情報要求機能と、
該バージョン情報要求機能が要求した前記第２のコンテンツ情報のバージョン情報と、前記第１のコンテンツ情報のバージョン情報とを照合する照合機能と、
該照合機能が照合して前記第１のコンテンツ情報のバージョンと前記第２のコンテンツ情報のバージョンとが異なる場合、前記第１のコンテンツ情報と前記第２のコンテンツ情報の差分情報を、通信回線を介して前記電子計算機へ送信するよう前記サーバに要求する差分情報要求機能と、
該差分情報要求機能が要求した前記差分情報に基づいて、前記第１のコンテンツ情報を編集する編集機能とを付与するプログラムを記録した、電子計算機読み取り可能な記録媒体。
【請求項２】
前記プログラムが、前記電子計算機に、前記記録媒体の操作履歴を示す操作ログ情報を記録する操作ログ情報記録機能と、
該操作ログ情報記録機能で記録された操作ログ情報に基づいて、前記第１のコンテンツ情報を構成するページのうち表示させるページを特定するページ特定ボタンの、前記電子計算機の画面上における表示レイアウトを変更する表示レイアウト変更機能とを付与する
請求項１に記載の記録媒体。
【請求項３】
前記プログラムから、前記記録媒体を読み取る再生装置が前記電子計算機か否かを判別する判別機能と、
該判別機能が、前記再生装置は前記電子計算機ではないと判別した場合に、同電子計算機での再生を促す情報を前記再生装置に再生させるプロモーション機能とが付与された
請求項１に記載の記録媒体。
【請求項４】
前記プログラムが、前記電子計算機に、前記照合機能が照合して前記第１のコンテンツ情報のバージョンと前記第２のコンテンツ情報のバージョンとが同じ場合には、前記第１のコンテンツ情報を前記電子計算機に読み取らせ、前記照合機能が照合して前記第１のコンテンツ情報のバージョンと前記第２のコンテンツ情報のバージョンとが異なる場合には、前記第２のコンテンツ情報を構成する部分情報のうち、前記差分情報要求機能が要求した前記差分情報に相当する部分情報を前記差分情報として前記電子計算機に読み取らせる読取制御機能を付与する
請求項１に記載の記録媒体。
【請求項５】
前記プログラムが、前記電子計算機に、前記操作ログ情報記録機能で記録された操作ログ情報を前記サーバへ送信する操作ログ情報送信機能を付与する
請求項２に記載の記録媒体。
【請求項６】
前記プログラムが、前記電子計算機に、前記記録媒体の利用者に関する情報である利用者情報を前記サーバへ通信回線を介して送信する利用者情報送信機能を付与する
請求項１に記載の記録媒体。
【請求項７】
前記プログラムは、前記電子計算機に前記プログラムが読み取りされたときに前記電子計算機が前記サーバと通信回線を介して接続されているかどうかを判定し、接続されている場合に、前記バージョン情報要求機能にバージョン情報を要求させるバージョン情報要求制御機能を、前記電子計算機に付与する
請求項１に記載の記録媒体。
【発明の詳細な説明】
【技術分野】
【０００１】
本発明は記録媒体に関する。詳しくは、例えば、ホテルなどが提供する結婚式に関する動画情報や、旅行会社が提供する旅行プランに関する動画情報や、保険プランに関する動画情報や、政治活動に関する動画情報が記録された記録媒体に係るものである。
【背景技術】
【０００２】
インターネットにおいて、複数の商店のページが一つにまとまって商品を販売するウェブサイトとして、オンラインモール、若しくはサイバーモールと呼ばれるウェブサイトがある。【０００３】
このようなウェブサイトは、商品の購入を希望する利用者に対して、商品情報を電子的に提供し、商品の注文を電子的に受付ける。【０００４】
また、商品情報を提供する商品カタログ（若しくは電子カタログ）は、オンラインモールシステムにおいて、重要な要素である。商品の購入を希望する利用者は、商品カタログを参照することで、所望の商品の情報を入手し、購入するかどうかを考える。【０００５】
例えば、特許文献１には、商品データベースに格納する商品データ情報を定義する際に、定義しようとする商品の本質に関わり商品データ情報の定義に必須とされる必須項目と、必須項目により定義される代表商品から派生して定義されるオプション商品の定義に必要となるオプション項目とをそれぞれ設定し、設定された必須項目から代表商品の商品データ情報を生成し、その後、設定されたオプション項目に基づいて、オプション商品に関する商品データ情報を生成し、商品データ情報は、電子ショップクライアントから電子モールサーバに転送され、商品データベースに格納される、電子ショッピングシステムが記載されている。
【先行技術文献】
【特許文献】
【０００６】
【特許文献１】特開平１０−２４０８２３号公報
【発明の概要】
【発明が解決しようとする課題】
【０００７】
しかしながら、ウェブサイトにおける商品情報の紹介では、利用者が、購入を希望している商品を掲載したウェブサイトへ辿り着くまでの操作が容易ではなく、その結果、辿り着く前に諦めてしまう利用者も多く、集客効果が良くない。【０００８】
また、一方で、印刷カタログを配布しても、商品情報は得やすいが、商品情報が更新された場合には、すでに配布した印刷カタログの内容を更新することはできないため、役に立たないものとなっていた。【０００９】
本発明は、以上の点に鑑みて創案されたものであり、利用者に配布された後でも配布時に記録されていた情報を自動で更新できる記録媒体を提供することを目的とする。
【課題を解決するための手段】
【００１０】
上記の目的を達成するために、本発明の記録媒体は、所定のバージョンの第１のコンテンツ情報を記録し、サーバと通信可能な電子計算機に、通信回線を介して、該サーバに記録されると共に前記第１のコンテンツ情報に対応する第２のコンテンツ情報のバージョン情報を前記電子計算機に送信するよう前記サーバに要求するバージョン情報要求機能と、該バージョン情報要求機能が要求した前記第２のコンテンツ情報のバージョン情報と、前記第１のコンテンツ情報のバージョン情報とを照合する照合機能と、該照合機能が照合して前記第１のコンテンツ情報のバージョンと前記第２のコンテンツ情報のバージョンとが異なる場合、前記第１のコンテンツ情報と前記第２のコンテンツ情報の差分情報を、通信回線を介して前記電子計算機へ送信するよう前記サーバに要求する差分情報要求機能と、該差分情報要求機能が要求した前記差分情報に基づいて、前記第１のコンテンツ情報を編集する編集機能とを付与するプログラムを記録した、電子計算機読み取り可能なものである。【００１１】
ここで、本発明で言う「編集」とは、具体的には例えば、置換、追加、削除である。
また、バージョン情報要求機能が要求した第２のコンテンツ情報のバージョン情報と、第１のコンテンツ情報のバージョン情報とを照合する照合機能によって、記録媒体に記録された第１のコンテンツ情報のバージョン情報を、サーバに記録された第２のコンテンツ情報のバージョン情報と常に照合することができ、記録媒体の第１のコンテンツ情報のバージョン情報と、サーバの第２のコンテンツ情報のバージョン情報との違いを確認できる。【００１２】
また、照合機能が照合して第１のコンテンツ情報のバージョンと第２のコンテンツ情報のバージョンとが異なる場合、第１のコンテンツ情報と第２のコンテンツ情報の差分情報を、通信回線を介して電子計算機へ送信するようサーバに要求する差分情報要求機能によって、常に更新されるサーバに記録された情報を取得できる。【００１３】
また、本発明の記録媒体において、プログラムが、電子計算機に、記録媒体の操作履歴を示す操作ログ情報を記録する操作ログ情報記録機能と、操作ログ情報記録機能で記録された操作ログ情報に基づいて、第１のコンテンツ情報を構成するページのうち表示させるページを特定するページ特定ボタンの、電子計算機の画面上における表示レイアウトを変更する表示レイアウト変更機能とを付与するものとすることができる。【００１４】
この場合、操作ログ情報に基づいて、第１のコンテンツ情報を構成するページのうち表示させるページを特定するページ特定ボタンの、電子計算機の画面上における表示レイアウトを変更するので、記録媒体の利用者が頻繁に利用するページを特定するページ特定ボタンが、頻繁に利用する他のページに表示されるなど、目的のコンテンツ情報までのルートが改善され、目的のコンテンツ情報まで辿り着きやすくなる。【００１５】
また、本発明の記録媒体は、プログラムから、記録媒体を読み取る再生装置が電子計算機か否かを判別する判別機能と、判別機能が、再生装置は電子計算機ではないと判別した場合に、電子計算機での再生を促す情報を再生装置に再生させるプロモーション機能とが付与されたものとすることができる。【００１６】
この場合、サーバと通信可能な電子計算機（ブラウザ機能を備えたパーソナルコンピュータ（ＰＣ）など）以外の再生装置（ＤＶＤプレイヤーなど）でも、記録媒体のコンテンツ情報を読み取ることができるので、ＰＣ不所持の者や、記録媒体を挿入できないＰＣ所持者に対して、記録媒体のコンテンツ情報を視聴してもらうことができる。【００１７】
また、判別機能が、再生装置は電子計算機ではないと判別した場合に、電子計算機での再生を促す情報を再生装置に再生させるプロモーション機能によって、サーバと通信可能な電子計算機で記録媒体を再生することで、常に更新されるサーバに記録された情報を取得できるようになるので、利用者の利益に寄与することができる。【００１８】
また、本発明の記録媒体において、プログラムが、電子計算機に、照合機能が照合して第１のコンテンツ情報のバージョンと第２のコンテンツ情報のバージョンとが同じ場合には、第１のコンテンツ情報を電子計算機に読み取らせ、照合機能が照合して第１のコンテンツ情報のバージョンと第２のコンテンツ情報のバージョンとが異なる場合には、第２のコンテンツ情報を構成する部分情報のうち、差分情報要求機能が要求した差分情報に相当する部分情報を差分情報として電子計算機に読み取らせる読取制御機能を付与するものとすることができる。【００１９】
この場合、情報の読み取り先を変えるだけなので、円滑に、第１のコンテンツ情報を更新できる。【００２０】
また、本発明の記録媒体において、プログラムが、電子計算機に、操作ログ情報記録機能で記録された操作ログ情報をサーバへ送信する操作ログ情報送信機能を付与するものとすることができる。【００２１】
この場合、記録媒体の利用者（顧客）の操作ログ情報例えば利用者が閲覧したメニューや商品、閲覧回数、閲覧時間を、サーバに送信して記録することができるため、利用者の動向を分析でき、記録媒体のバージョンアップのときに役立てることができる。【００２２】
また、本発明の記録媒体において、プログラムが、電子計算機に、記録媒体の利用者に関する情報である利用者情報をサーバへ通信回線を介して送信する利用者情報送信機能を付与するものとすることができる。【００２３】
この場合、利用者情報例えば利用者が答えたアンケート情報を、サーバに送信して記録することができるため、利用者の要望等を分析でき、記録媒体のバージョンアップや企画立案に役立てることができる。【００２４】
また、本発明の記録媒体において、プログラムは、電子計算機にプログラムが読み取りされたときに電子計算機がサーバと通信回線を介して接続されているかどうかを判定し、接続されている場合に、バージョン情報要求機能にバージョン情報を要求させるバージョン情報要求制御機能を、電子計算機に付与するものとすることができる。
【発明の効果】
【００２５】
本発明に係る記録媒体は、利用者に配布された後でも配布時に記録されていた情報を自動で更新できる。
【図面の簡単な説明】
【００２６】
【図１】本発明を適用した記録媒体の内容が更新される仕組みの一例を説明する概略図である。
【図２】本発明を適用した記録媒体の内容が更新される仕組みの他の例を説明する概略図である。
【発明を実施するための形態】
【００２７】
以下、本発明の実施の形態について図面を参照しながら説明し、本発明の理解に供する。
図１は、本発明を適用した記録媒体の内容が更新される仕組みの一例を説明する概略図である。図２は、本発明を適用した記録媒体の内容が更新される仕組みの他の例を説明する概略図である。
【００２８】
図１に示す本発明のＤＶＤ（記録媒体の一例である。）１には、サーバ３とインターネット（通信回線の一例である。）４を介して通信可能なコンピュータ（電子計算機の一例である。）２に読み取られて、コンピュータ２に様々な機能を付与するプログラムが記録されている。
【００２９】
また、図１に示す本発明のＤＶＤ１には、「バージョン（Ｖｅｒ．）１」の結婚式情報（第１のコンテンツ情報の一例である。）が記録されている。
この結婚式情報には、動画情報や音声情報の他に、ＤＶＤ１が挿入されたコンピュータ２を通して、利用者からの指示を受けて所定のタスクを実行できる情報も含まれている。
また、結婚式情報には、三次元（３Ｄ）映像も当然に含まれる。
【００３０】
また、結婚式情報を構成する部分情報は、具体的には例えば、結婚式で新郎新婦が着用する衣装に関する情報、挙式スタイルに関する情報、披露宴会場に関する情報、披露宴などで流す音楽に関する情報、装花に関する情報、並びに二次会などその他の情報である。
【００３１】
ＤＶＤ１に記録されたプログラムは、コンピュータ２にＤＶＤ１が挿入されるとコンピュータ２に読み取られ、サーバ３に記録されると共にＤＶＤ１の結婚式情報（第１のコンテンツ情報）に対応する結婚式情報（第２のコンテンツ情報）のバージョン情報をコンピュータ２に送信するようサーバ３に要求するバージョン情報要求機能を、コンピュータ２に付与する。
【００３２】
また、ＤＶＤ１に記録されたプログラムは、バージョン情報要求機能が要求したサーバ３の結婚式情報（第２のコンテンツ情報）のバージョン情報と、ＤＶＤ１の結婚式情報（第１のコンテンツ情報）のバージョン情報とを照合する照合機能を、コンピュータ２に付与する。
【００３３】
また、ＤＶＤ１に記録されたプログラムは、照合機能が照合してＤＶＤ１の結婚式情報のバージョンとサーバ３の結婚式情報のバージョンとが異なる場合、ＤＶＤ１の結婚式情報とサーバ３の結婚式情報の差分情報を、インターネット４を介してコンピュータ２へ送信するようサーバ３に要求する差分情報要求機能を、コンピュータ２に付与する。
【００３４】
また、ＤＶＤ１に記録されたプログラムは、差分情報要求機能が要求した差分情報に基づいて、ＤＶＤ１の結婚式情報を編集する編集機能を、コンピュータ２に付与する。
【００３５】
ここで、「編集する」とは、具体的には例えば、以下のような作業が含まれる。
（１）ＤＶＤ１の結婚式情報を構成する部分情報のうち、差分情報要求機能が要求した差分情報に相当する部分情報を、差分情報に置き換える。
（２）ＤＶＤ１の結婚式情報に、差分情報要求機能が要求した差分情報を追加する。
（３）ＤＶＤ１の結婚式情報を構成する部分情報のうち、差分情報要求機能が要求した差分情報に相当する部分情報を、削除する。
【００３６】
また、ＤＶＤ１に記録されたプログラムは、ＤＶＤ１の操作履歴を示す操作ログ情報を記録する操作ログ情報記録機能を、コンピュータ２に付与する。
また、ＤＶＤ１に記録されたプログラムは、操作ログ情報記録機能で記録された操作ログ情報に基づいて、ＤＶＤ１の結婚式情報を構成するページのうち表示させるページを特定するページ特定ボタンの、コンピュータ２の画面上における表示レイアウトを変更する表示レイアウト変更機能を、コンピュータ２に付与する。
【００３７】
具体的には例えば、コンピュータ２のトップページ画面において、挙式プラン一覧のページを表示させるページ特定ボタンを利用者がクリックして、具体的な挙式プランを利用者が見た後、再びトップページに戻って、次は衣装画像一覧のページを表示させるページ特定ボタンを利用者がクリックするという操作履歴が多い場合、このような操作履歴を示す操作ログ情報に基づいて、挙式プラン一覧のページに衣装画像一覧のページを表示させるページ特定ボタンを表示させるというように表示レイアウトを変更する。
【００３８】
また、ＤＶＤ１に記録されたプログラムは、ＤＶＤ１を読み取る再生装置がコンピュータ２か否かを判別する判別機能を、ＤＶＤ１に付与する。
また、ＤＶＤ１に記録されたプログラムは、判別機能が、再生装置はコンピュータ２ではないと判別した場合（例えば、家庭用ＤＶＤプレイヤーであると判別した場合）に、コンピュータ２での再生を促す情報を再生装置に再生させるプロモーション機能を、ＤＶＤ１に付与する。
【００３９】
また、ＤＶＤ１に記録されたプログラムは、照合機能が照合してＤＶＤ１の結婚式情報のバージョンとサーバ３の結婚式情報のバージョンとが同じ場合には、ＤＶＤ１の結婚式情報をコンピュータ２に読み取らせ、照合機能が照合してＤＶＤ１の結婚式情報のバージョンとサーバ３の結婚式情報のバージョンとが異なる場合には、サーバ３の結婚式情報を構成する部分情報のうち、前記差分情報要求機能が要求した前記差分情報に相当する部分情報を前記差分情報としてコンピュータ２に読み取らせる読取制御機能を、コンピュータ２に付与する。
【００４０】
また、ＤＶＤ１に記録されたプログラムは、操作ログ情報記録機能で記録された操作ログ情報をサーバ３へ送信する操作ログ情報送信機能を、コンピュータ２に付与する。
【００４１】
具体的には例えば、ＤＶＤ１に記録された結婚式情報を構成する、衣装に関する情報、挙式プランに関する情報、料理に関する情報などのうち、ＤＶＤ１の利用者が、どの情報を何時間閲覧したかなどの操作ログ情報をサーバ３へ送信し、その情報を分析することで、次の企画に利用することができる。
【００４２】
また、ＤＶＤ１に記録されたプログラムは、ＤＶＤ１の利用者に関する情報である利用者情報をサーバ３へ、インターネット４を介して送信する利用者情報送信機能を、コンピュータ２に付与する。
【００４３】
また、ＤＶＤ１に記録されたプログラムは、コンピュータ２にプログラムが読み取りされたときにコンピュータ２がサーバ３とインターネット４を介して接続されているかどうかを判定し、接続されている場合に、バージョン情報要求機能にバージョン情報を要求させるバージョン情報要求制御機能を、コンピュータ２に付与する。
【００４４】
次に、図１および図２を参照して、ＤＶＤ１の結婚式情報が更新される流れを説明する。
【００４５】
なお、図１および図２において、「衣装画像Ａ」は『Ｉ−Ａ』として、「衣装画像Ｂ」は『Ｉ−Ｂ』として、「衣装画像Ｃ」は『Ｉ−Ｃ』として、「衣装画像Ｄ」は『Ｉ−Ｄ』としてそれぞれ示されている。
また、図１および図２において、「挙式プランＡ」は『Ｐ−Ａ』として、「挙式プランＢ」は『Ｐ−Ｂ』として、「挙式プランＣ」は『Ｐ−Ｃ』としてそれぞれ示されている。
【００４６】
ＤＶＤ１の利用者が、ＤＶＤ１をコンピュータ２に挿入し、ＤＶＤ１内のプログラムが起動する。
【００４７】
さらに、ＤＶＤ１に記録されたプログラムは、コンピュータ２に、バージョン情報要求機能を付与するので、バージョン情報要求機能を付与されたコンピュータ２は、サーバ３の結婚式情報のバージョン情報をコンピュータ２に、インターネット４を介して送信するようサーバ３に要求する。
【００４８】
次に、ＤＶＤ１に記録されたプログラムは、コンピュータ２に、照合機能を付与するので、照合機能を付与されたコンピュータ２は、送信されてきたサーバ３の結婚式情報のバージョン情報と、ＤＶＤ１の結婚式情報のバージョン情報とを照合する。
【００４９】
また、ＤＶＤ１に記録されたプログラムは、コンピュータ２に、読取制御機能を付与するので、ＤＶＤ１の結婚式情報のバージョンとサーバ３の結婚式情報のバージョンとが同じ場合は、ＤＶＤ１の結婚式情報をコンピュータ２が読み取る。
【００５０】
図１に示す例では、ＤＶＤ１の結婚式情報のバージョンは「バージョン１」であり、サーバ３の結婚式情報のバージョンは、ＤＶＤ１の結婚式情報のバージョンよりも新しい「バージョン２」であるから、両者は異なる。
【００５１】
また、図２に示す例でも、ＤＶＤ１の結婚式情報のバージョンは「バージョン１」であり、サーバ３の結婚式情報のバージョンは、ＤＶＤ１の結婚式情報のバージョンよりも新しい「バージョン３」であるから、両者は異なる。
【００５２】
バージョンが異なる場合、ＤＶＤ１に記録されたプログラムは、コンピュータ２に、差分情報要求機能を付与するので、差分情報要求機能を付与されたコンピュータ２は、ＤＶＤ１の結婚式情報とサーバ３の結婚式情報の差分情報を、インターネット４を介してコンピュータ２へ送信するようサーバ３に要求する。
【００５３】
図１に示す例では、ＤＶＤ１の結婚式情報を構成する衣装に関する情報が、「衣装画像Ａ、衣装画像Ｂ」であるのに対し、サーバ３の結婚式情報を構成する衣装に関する情報が、「衣装画像Ａ、衣装画像Ｂ、衣装画像Ｃ、衣装画像Ｄ」であるから、衣装に関する情報について、ＤＶＤ１の結婚式情報とサーバ３の結婚式情報の差分情報は、「衣装画像Ｃ、衣装画像Ｄ」となる。
【００５４】
また、図１に示す例では、ＤＶＤ１の結婚式情報を構成する挙式プランに関する情報が「挙式プランＡ、挙式プランＢ」であるのに対し、サーバ３の結婚式情報を構成する挙式プランに関する情報が「挙式プランＡ、挙式プランＢ、挙式プランＣ」であるから、挙式プランに関する情報について、ＤＶＤ１の結婚式情報とサーバ３の結婚式情報の差分情報は、「挙式プランＣ」となる。
【００５５】
そして、ＤＶＤ１に記録されたプログラムは、コンピュータ２に、編集機能を付与するので、コンピュータ２は、ＤＶＤ１の結婚式情報を構成する衣装に関する情報「衣装画像Ａ、衣装画像Ｂ」に、差分情報「衣装画像Ｃ、衣装画像Ｄ」を追加するという編集を行なう。
【００５６】
ここで、差分情報である「衣装画像Ｃ、衣装画像Ｄ」は、具体的にはサーバ３内の「衣装画像Ｃ、衣装画像Ｄ」が格納された場所を示すコンテンツＵＲＬである。
そして、ＤＶＤ１に記録されたプログラムは、コンピュータ２に読取制御機能を付与するので、コンピュータ２は、「衣装画像Ｃ、衣装画像Ｄ」が格納された場所を示すコンテンツＵＲＬを基に、サーバ３内の「衣装画像Ｃ、衣装画像Ｄ」を読み取る。
【００５７】
すなわち、ＤＶＤ１に記録された「衣装画像Ａ、衣装画像Ｂ」に、サーバ３に記録された「衣装画像Ｃ、衣装画像Ｄ」をそのまま追加して、コンピュータ２がＤＶＤ１から「衣装画像Ｃ、衣装画像Ｄ」を読み取るのではなく、コンピュータ２が、ＤＶＤ１に記録された「衣装画像Ａ、衣装画像Ｂ」についてはＤＶＤ１から読み取り、「衣装画像Ｃ、衣装画像Ｄ」についてはサーバ３から読み取るのである。
【００５８】
なお、必ずしもサーバ内の差分情報を読み取らなくてもよく、差分情報を記録媒体に追加して記録媒体内の差分情報を読み取るようにしてもよいことは勿論であるが、サーバ内の差分情報を読み取る方が、円滑に、第１のコンテンツ情報を更新できる。
【００５９】
また、図１に示す例において、挙式プランに関する情報についても同様に、コンピュータ２は、ＤＶＤ１の結婚式情報を構成する挙式プランに関する情報「挙式プランＡ、挙式プランＢ」に、差分情報「挙式プランＣ」を追加するという編集を行なう。
【００６０】
また、図２に示す例では、ＤＶＤ１の結婚式情報を構成する衣装に関する情報が、「衣装画像Ａ、衣装画像Ｂ」であるのに対し、サーバ３の結婚式情報を構成する衣装に関する情報が、「衣装画像Ｂ」であるから、衣装に関する情報について、ＤＶＤ１の結婚式情報とサーバ３の結婚式情報の差分情報は、ブランク（空白）コンテンツとなる。
【００６１】
また、図２に示す例では、ＤＶＤ１の結婚式情報を構成する挙式プランに関する情報が「挙式プランＡ、挙式プランＢ」であるのに対し、サーバ３の結婚式情報を構成する挙式プランに関する情報が「挙式プランＡ、挙式プランＣ」であるから、挙式プランに関する情報について、ＤＶＤ１の結婚式情報とサーバ３の結婚式情報の差分情報は、より新しい情報である「挙式プランＣ」となる。
【００６２】
そして、ＤＶＤ１に記録されたプログラムは、コンピュータ２に、編集機能を付与するので、コンピュータ２は、ＤＶＤ１の結婚式情報を構成する衣装に関する情報「衣装画像Ａ」を削除するという編集を行なう。
【００６３】
また、図２に示す例において、挙式プランに関する情報についても同様に、コンピュータ２は、ＤＶＤ１の結婚式情報を構成する挙式プランに関する情報「挙式プランＢ」を、差分情報である「挙式プランＣ」に置き換えるという編集を行なう。
【００６４】
ここで、通信回線の一例として、インターネットを挙げて説明したが、必ずしもインターネットでなくてもよく、例えば、ローカルエリアネットワーク（ＬＡＮ）であってもよい。
【００６５】
また、サーバと通信可能な電子計算機の一例として、コンピュータを挙げて説明したが、その他の例としてインターネットテレビが挙げられる。
【００６６】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、編集機能とを付与するプログラムを記録した電子計算機読み取り可能なものであれば、必ずしも表示レイアウト変更機能を電子計算機に付与しなくてもよい。
【００６７】
しかし、表示レイアウト変更機能を電子計算機に付与していれば、操作ログ情報に基づいて、第１のコンテンツ情報を構成するページのうち表示させるページを特定するページ特定ボタンの、電子計算機の画面上における表示レイアウトを変更するので、記録媒体の利用者が頻繁に利用するページを特定するページ特定ボタンが、頻繁に利用する他のページに表示されるなど、目的のコンテンツ情報までのルートが改善され、目的のコンテンツ情報まで辿り着きやすくなり、好ましい。
【００６８】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、編集機能とを付与するプログラムを記録した電子計算機読み取り可能なものであれば、必ずしも判別機能とプロモーション機能を記録媒体に付与しなくてもよい。
【００６９】
しかし、判別機能とプロモーション機能を記録媒体に付与していれば、サーバと通信可能な電子計算機で記録媒体を再生することで、常に更新されるサーバに記録された情報を取得できるようになるので、利用者の利益に寄与することができ、好ましい。
【００７０】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、編集機能とを付与するプログラムを記録した電子計算機読み取り可能なものであれば、必ずしも操作ログ情報送信機能を電子計算機に付与しなくてもよい。
【００７１】
しかし、操作ログ情報送信機能を電子計算機に付与していれば、記録媒体の利用者（顧客）の操作ログ情報例えば利用者が閲覧したメニューや商品、閲覧回数、閲覧時間を、サーバに送信して記録することができるため、利用者の動向を分析でき、記録媒体のバージョンアップのときに役立てることができ、好ましい。
【００７２】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、編集機能とを付与するプログラムを記録した電子計算機読み取り可能なものであれば、必ずしも利用者情報送信機能を電子計算機に付与しなくてもよい。
【００７３】
しかし、利用者情報送信機能を電子計算機に付与していれば、利用者情報例えば利用者が答えたアンケート情報を、サーバに送信して記録することができるため、利用者の要望等を分析でき、記録媒体のバージョンアップや企画立案に役立てることができ、好ましい。
【００７４】
また、第１のコンテンツ情報や第２のコンテンツ情報として、結婚式情報を例に挙げて説明したが、必ずしも結婚式情報に限定されるものではないことは勿論である。
【００７５】
第１のコンテンツ情報や第２のコンテンツ情報として、例えば、旅行会社が提供する旅行プランに関する情報や、保険プランに関する情報や、政治活動に関する情報や、百貨店が販売する商品に関する情報や、自動車に関する情報や、建設資材に関する情報や、カタログ販売される商品に関する情報も挙げられる。
【００７６】
また、記録媒体に記録されたコンテンツ情報の業種や本発明の記録媒体の配布先に応じた広告バナーをサーバに記録しておき、本発明の記録媒体が挿入された電子計算機が、広告バナーを読み取るようにすることもできる。
【００７７】
また、本発明の記録媒体の一例としてＤＶＤを挙げているが、必ずしも本発明の記録媒体はＤＶＤに限定されるものではない。例えば、ＵＳＢ（Ｕｎｉｖｅｒｓａｌ  Ｓｅｒｉａｌ  Ｂｕｓ）メモリ、ＮＦＣ（Ｎｅａｒ  Ｆｉｅｌｄ  Ｃｏｍｍｕｎｉｃａｔｉｏｎ）メモリ、Ｂｌｕ−ｒａｙ（登録商標）ディスク、ＳＤメモリーカード、およびＰＣカードも本発明の記録媒体として使用できる。
【００７８】
以上のように、本発明の記録媒体は、コンピュータなどの電子計算機に挿入されると、記録媒体のプログラムが起動し、コンピュータに、記録媒体に記録された第１のコンテンツ情報のバージョン情報と、サーバに記録された第２のコンテンツ情報のバージョン情報とを照合させ、互いのバージョンが異なる場合に、第１のコンテンツ情報と第２のコンテンツ情報の差分情報をサーバから取得させるので、常に更新されるサーバに記録された情報を取得できる。
【００７９】
従って、本発明の記録媒体は、利用者に配布された後でも配布時に記録されていた情報を自動で更新できる。
【００８０】
また、ＤＶＤなどの記録媒体という実体を伴った商品カタログであることから、顧客はわざわざウェブサイトにアクセスすることなく、顧客を商品カタログに導入し易く、また、記録媒体内の商品情報も常に更新されるので、商品購入につなげる可能性が高くなる。
【００８１】
また、印刷物のカタログと異なり、本発明の記録媒体は、商品情報が更新されるたびに再発行する必要がなく、サーバ上で商品情報を更新しておくだけでよいので、印刷経費を大幅に抑えることができる。
【００８２】
また、記録媒体に記録された情報のうち、どの情報をどれくらいの時間、顧客が閲覧したかといった操作ログ情報をサーバへ送信し記録するので、顧客の動向を分析でき、記録媒体のバージョンアップのときに役立てることができる。
【００８３】
また、本発明の記録媒体が挿入された電子計算機とサーバとの間の通信だけなので、セキュリティーが高い。
【符号の説明】
【００８４】
１    ＤＶＤ
２    コンピュータ
３    サーバ
４    インターネット
【図１】
2014038589.tif 000003
【図２】
2014038589.tif 000004
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
所定のバージョンの第１のコンテンツ情報を記録し、
サーバと通信可能な電子計算機に、
通信回線を介して、該サーバに記録されると共に前記第１のコンテンツ情報に対応する第２のコンテンツ情報のバージョン情報を前記電子計算機に送信するよう前記サーバに要求するバージョン情報要求機能と、
該バージョン情報要求機能が要求した前記第２のコンテンツ情報のバージョン情報と、前記第１のコンテンツ情報のバージョン情報とを照合する照合機能と、
該照合機能が照合して前記第１のコンテンツ情報のバージョンと前記第２のコンテンツ情報のバージョンとが異なる場合、前記第１のコンテンツ情報と前記第２のコンテンツ情報の差分情報を、通信回線を介して前記電子計算機へ送信するよう前記サーバに要求する差分情報要求機能と、
該差分情報要求機能が要求した前記差分情報に基づいて、前記第１のコンテンツ情報を編集する編集機能とを付与するプログラムを記録した記録媒体であり、
前記プログラムから、前記記録媒体を読み取る再生装置が、サーバと通信可能な電子計算機か否かを判別する判別機能と、
該判別機能が、前記再生装置はサーバと通信可能な電子計算機ではないと判別した場合に、サーバと通信可能な電子計算機での再生を促す情報を前記再生装置に再生させるプロモーション機能とが付与された
電子計算機読み取り可能な記録媒体。
【請求項２】
前記プログラムが、前記電子計算機に、前記記録媒体の操作履歴を示す操作ログ情報を記録する操作ログ情報記録機能と、
該操作ログ情報記録機能で記録された操作ログ情報に基づいて、前記第１のコンテンツ情報を構成するページのうち表示させるページを特定するページ特定ボタンの、前記電子計算機の画面上における表示レイアウトを変更する表示レイアウト変更機能とを付与する
請求項１に記載の記録媒体。
【請求項３】
前記プログラムが、前記電子計算機に、前記照合機能が照合して前記第１のコンテンツ情報のバージョンと前記第２のコンテンツ情報のバージョンとが同じ場合には、前記第１のコンテンツ情報を前記電子計算機に読み取らせ、前記照合機能が照合して前記第１のコンテンツ情報のバージョンと前記第２のコンテンツ情報のバージョンとが異なる場合には、前記第２のコンテンツ情報を構成する部分情報のうち、前記差分情報要求機能が要求した前記差分情報に相当する部分情報を前記差分情報として前記電子計算機に読み取らせる読取制御機能を付与する
請求項１に記載の記録媒体。
【請求項４】
前記プログラムが、前記電子計算機に、前記操作ログ情報記録機能で記録された操作ログ情報を前記サーバへ送信する操作ログ情報送信機能を付与する
請求項２に記載の記録媒体。
【請求項５】
前記プログラムが、前記電子計算機に、前記記録媒体の利用者に関する情報である利用者情報を前記サーバへ通信回線を介して送信する利用者情報送信機能を付与する
請求項１に記載の記録媒体。
【請求項６】
前記プログラムは、前記電子計算機に前記プログラムが読み取りされたときに前記電子計算機が前記サーバと通信回線を介して接続されているかどうかを判定し、接続されている場合に、前記バージョン情報要求機能にバージョン情報を要求させるバージョン情報要求制御機能を、前記電子計算機に付与する
請求項１に記載の記録媒体。
【国際調査報告】
2014038589.tif 000005
2014038589.tif 000006
2014038589.tif 000007
2014038589.tif 000008